(57)【特許請求の範囲】
【請求項１】
搬送ローラと、該搬送ローラに紙を押し付けるピンチローラを有し、ピンチローラが、ピンチローラケーシングに形成された紙の移動方向の上流側にある上流側壁と、紙の移動方向の下流側にある下流側壁と、底部壁とを有し、搬送ローラ側が開口され、搬送ローラの軸線に平行に延伸する溝内に受容され、溝の底壁に形成されたバネ受容穴に配設されたバネにより搬送ローラに向かって押圧されている給紙装置であって、
ピンチローラに当接するバネの端部を、紙の移動の上流側を高く、下流側を低くしたバネの傾斜端部構造によってピンチローラを下流方向に付勢する、
ことを特徴とする給紙装置。
【請求項２】
バネがコイルバネであって、ピンチローラに当接するバネの端部が”の”の字形状に形成され、”の”の字形状の中心線が紙の移動方向に平行にされ、上流側が高く、下流側が低くなるようにされている、ことを特徴とする請求項１に記載の給紙装置。
【請求項３】
溝の底部壁に、バネの回動を防止するバネ回動防止手段が設けられている、ことを特徴とする請求項１に記載の給紙装置。
【請求項４】
溝のローラの軸線方向から見た幅の中心線が搬送ローラの軸線よりも下流側に位置せしめられていることを特徴とする請求項１に記載の給紙装置。
【発明の詳細な説明】
【０００１】
【発明の属する技術分野】
本発明は給紙装置に関し、特に搬送ローラに紙を押し付けるピンチローラに関する。
【０００２】
【従来の技術】
プリンタ等の給紙装置においては、印刷紙を送り出すために、例えばゴム製の、搬送ローラに紙を押し付けるためにピンチローラ（あるいはプレッシャローラともいう）が使用されることが多い。事務用のプリンタにおいては、スペース的に比較的余裕があること、また、印刷紙が大きいことから、例えば、特許文献１（実開平５−４６４５５号公報）に記載のように、ピンチローラは端部に軸を有して形成され、バネによってこの軸を押圧するようにしたものが多い。
【０００３】
ところで、近年、電気やガスの検針、あるいは、車内販売における領収証の発行、車内検札時の発券等のために携帯式の小型プリンタが数多く使用されるようになってきている。このような小型のプリンタにおいては、スペースがないために、小径の支持軸を有さないピンチローラを溝の中に配設し、溝の内部に配設したバネでピンチローラを押し上げて使用することが多い。
【０００４】
従来、バネの上端がどのようにピンチローラに当接するかについては、特に注意されておらず、前側が低く後側が高い場合もある。このような場合に発生する問題を図５を参照して説明する。
まず、ピンチローラ６０は溝３０の上流側壁３１に押し付けられている時（図５の（Ａ）参照）、搬送ローラ１０が回転し、それに伴い、ピンチローラ６０が回転した場合に、ピンチローラ６０に製造時にできたバリ、パーティング、段差や傷等があると、これらがコイルバネ５０に引っかかり、その引っかかった部分を支点にしてピンチローラ６０は溝の下流側壁３２に移動し、コイルバネ５０は圧縮を受けることになる（図５の（Ｂ）参照）。さらに、ピンチローラ６０が回転すると、引っかかった部分が外れ、その時に圧縮されたコイルバネ５０の反力によってピンチローラ６０が初期の状態まで戻ることになる（図５の（Ｃ）参照）。この時に、ピンチローラ６０が溝の上流側壁３１に衝突して異音が発生するという問題がある。
【特許文献１】
実開平５−４６４５５号公報
【０００５】
【発明が解決しようとする課題】
本発明は上記問題に鑑み、溝内に配設されバネで押し上げられるピンチローラを有する給紙装置の異音の発生を防止することを目的とする。
【０００６】
【課題を解決するための手段】
請求項１の発明によれば、搬送ローラと、該搬送ローラに紙を押し付けるピンチローラを有し、ピンチローラが、紙の移動方向の上流側にある上流側壁と、紙の移動方向の下流側にある下流側壁と、底部壁とを有し、搬送ローラ側が開口され、搬送ローラの軸線に平行に延伸する溝内に受容され、溝の底壁に形成されたバネ受容穴に配設されたバネにより搬送ローラに向かって押圧されている給紙装置であって、ピンチローラに当接するバネの端部を、紙の移動の上流側を高く、下流側を低くしたバネの傾斜端部構造によってピンチローラを下流方向に付勢する、ことを特徴とする給紙装置が提供される。
このような給紙装置ではピンチローラに当接するバネの端部を、紙の移動の上流側を高く、下流側を低くしたバネの傾斜端部構造によってピンチローラが下流方向に付勢されピンチローラは常時下流側壁に接している。
【０００８】
請求項２の発明によれば、請求項１の発明において、バネがコイルバネであって、ピンチローラに当接するバネの端部が”の”の字形状に形成され、”の”の字形状の中心線が紙の移動方向に平行にされ、上流側が高く、下流側が低くなるようにされている、ことを特徴とする給紙装置が提供される。
このような給紙装置ではコイルバネのピンチローラに当接する端部が”の”の字形状に形成され”の”の字形状の中心線が、上流側が高く、下流側が低くなるようにされており、この中心線がピンチローラに当接する。
【０００９】
請求項３の発明によれば、請求項１の発明において、溝の底部壁に、バネの回動を防止するバネ回動防止手段が設けられている、ことを特徴とする給紙装置が提供される。
このような給紙装置では溝の底部壁に設けられたバネ回動防止手段によりコイルバネの回動が防止される。
【００１０】
請求項４の発明によれば、請求項１の発明において、溝のローラの軸線方向から見た幅の中心線を搬送ローラの軸線よりも下流側に位置せしめたことを特徴とする給紙装置が提供される。
このような給紙装置では溝のローラの軸線方向から見た幅の中心線が搬送ローラの軸線よりも下流側に位置せしめられていてピンチローラは上流側に移動しようとした場合にバネを圧縮しなければならない。
【００１４】
【発明の実施の形態】
以下、添付の図面を参照して本発明の実施の形態を説明する。
初めに、第１の実施の形態について説明する。図１が第１の実施の形態の構造を示す図であって、搬送ローラ１０は図示されない駆動手段、例えばモータ、によって矢印の方向に回転せしめられる。搬送ローラ１０に対向して、ピンチローラケーシング２０が配設されていて、ピンチローラケーシング２０には溝３０が形成されていて、溝３０は、紙の動きの上流側の上流側壁３１と、上流側壁に対向し紙の動きの下流側にある下流側壁３２と、底部壁３３を有する。底部壁３３の中心線は搬送ローラ１０の軸線の真下にあるようにされている。
【００１５】
溝３０の底部壁３３の長手方向の中央付近に円形断面のコイルバネ受容穴４０が形成されていて、コイルバネ受容穴４０内にコイルバネ５０が受容されている。コイルバネ５０の上にピンチローラ６０が配設され、ピンチローラ６０はコイルバネ５０により搬送ローラ１０に向かって付勢され印刷紙１００を搬送ローラ１０に押し付ける。印刷紙１００はこの実施の形態の場合は感熱紙であって、ピンチローラ６０で搬送ローラ１０に押し付けられた部分を通過して約半周後にサーマルヘッド７０により印字される。
【００１６】
ピンチローラ６０に接するコイルバネ５０の上端は図示のように、上流側が高く、下流側が低い、傾斜上端構造とされている。したがって、ピンチローラ６０は常に下流側壁３２に押圧され、上流側壁３１との間を移動して異音を発生することがない。
【００１７】
さらに、図２に示すように、上から見ると、”の”の字形状にされていて、”の”の字の中心線が長手方向に直角にされていて、コイルバネ５０は、その中心でピンチローラ６０を押圧し、押圧作用が安定すると、伴に、ピンチローラ６０との接触面積が減少する。
【００１８】
コイルバネ５０は使用中に組立て時の設置方向からずれることは殆どないが、念のために、図３に示すように、コイルバネ受容穴４０の底面４１に内側が平行な２本の三日月状の突起４２を形成し、その間に、コイルバネ５０の下端部に形成した”の”の字の中心線部を配置すれば、万全である。なお、図３は、わかりやすくするために、コイルバネ受容穴４０を軸に平行な平面で半分に切断し、かつ、溝３０の構造がわかるように、右側は軸に直角な平面で切断して示してある。
【００１９】
次に、第２の実施の形態について説明する。図４が第２の実施の形態の構成を示す図であって、この第２の実施の形態は、第１の実施の形態に加えて、溝３０を下流側にオフセットさせたものである。このようにすることにより、ピンチローラ６０が下流側から上流側に移動しようとしても、その際に、コイルバネ５０を圧縮することが必要であり、その反力が抵抗となるので、さらに確実にピンチローラ６０を下流側壁３２に押し付けることができる。
【００２０】
なお、第２の実施の形態は単独で使用することもできるが、コイルバネ５０の上端が、第１の実施の形態とは逆向き、すなわち、下流側が高いようにされていると、作用が不安定になるので、少なくとも、水平に保つことが好ましい。
【００２１】
また、従来からおこなわれているように、ピンチローラ６０のコイルバネ５０が当接する中央部分を縮径し、実際に印刷紙１００を搬送ローラ１０に押し付ける部分を太くすれば、コイルバネ５０が当接する部分に印刷紙１００のゴミ等がコイルバネ５０に付着する可能性が低くなり誤作動が発生しにくい。
【００２７】
【発明の効果】
請求項１から５に記載の発明は、搬送ローラと、該搬送ローラに紙を押し付けるピンチローラを有し、ピンチローラが、紙の移動方向の上流側にある上流側壁と、紙の移動方向の下流側にある下流側壁と、底部壁とを有し、搬送ローラ側が開口され、搬送ローラの軸線に平行に延伸する溝内に受容され、溝の底壁に形成されたバネ受容穴に配設されたバネにより搬送ローラに向かって押圧されている給紙装置の発明であるが、ピンチローラに当接するバネの端部を、紙の移動の上流側を高く、下流側を低くしたバネの傾斜端部構造によってピンチローラが下流方向に付勢されピンチローラは常時下流側壁に当接せしめられ、上流側に向かって移動して、上流側壁に衝突して異音を発生することがない。
【００２８】
さらに、請求項２のように、バネをコイルバネとし、ピンチローラに当接するバネの端部を”の”の字形状に形成し、”の”の字形状の中心線を紙の移動方向に平行にし、上流側が高く、下流側が低くなるようにすれば、バネはその中心部でピンチローラを押圧するので作動が安定し、ピンチローラとの接触を少なくする。また、請求項３のように溝の底部壁にバネの回動を防止するバネ回動防止手段を設けることも、作動を安定させる。
【００２９】
特に、請求項４のように、溝のローラの軸線方向から見た幅の中心線を搬送ローラの軸線よりも下流側に位置せしめれば、ピンチローラは上流側に移動しようとした場合にバネを圧縮せねばならず、このバネの反力によりピンチローラは下流側壁に常時当接せしめられて異音の発生が防止される。
【図面の簡単な説明】
【図１】  第１の実施の形態の特徴を示す図である。
【図２】  第１の実施の形態を搬送ローラを除去して上から見た図である。
【図３】  第１の実施の形態の変形例におけるコイルバネの方向の固定の仕方を示す図である。
【図４】  第２の実施の形態の特徴を示す図である。
【図５】  従来技術の問題点を説明する図であって、
（Ａ）ピンチローラが上流側壁に当接している状態を示し、
（Ｂ）ピンチローラが移動して下流側壁に当る様子を示し、
（Ｃ）ピンチローラが上流側に戻って上流側壁に当たる様子を示している。
【符号の説明】
１０…搬送ローラ
２０…ピンチローラケーシング
３０…溝
３１…上流側壁
３２…下流側壁
３３…底部壁
４０…コイルバネ受容穴
５０…コイルバネ
６０…ピンチローラ
７０…サーマルプリンタ
８０、８１、８２…フィルム
９０…傾斜板
１００…印刷紙
【図１】
0004293776.tif 000002
【図２】
0004293776.tif 000003
【図３】
0004293776.tif 000004
【図４】
0004293776.tif 000005
【図５】
0004293776.tif 000006